(57)【要約】【課題】試験音声による周囲への影響を抑制しつつ、マイクおよびスピーカの劣化を区別して診断する。【解決手段】音声試験部１６が、試験対象端末として指定された１つの送り側端末と複数の受け側端末とが非通話状態にある場合に、送り側端末のスピーカから出力した非可聴音からなる試験音声を、受け側端末のそれぞれのマイクで検出し、得られた検出音声を受け側端末から収集し、音声診断部１７が、試験対象端末の音声通話性能が正常な場合に収集した検出音声である基準音声の音声レベルと、音声試験で収集した検出音声の音声レベルとの差分からなるレベル減衰量を試験対象端末ごとに求め、得られたレベル減衰量に基づいて試験対象端末のスピーカおよびマイクに関する劣化を診断する。【選択図】  図１
2018174405.tif 000002
【特許請求の範囲】
【請求項１】
複数の電話端末と、通信回線を介して収容した前記電話端末を電話網に交換接続する電話制御装置とを備える電話システムであって、
前記電話端末のうち試験対象端末として指定された１つの送り側端末と複数の受け側端末とが非通話状態にある場合に、前記送り側端末のスピーカから出力した非可聴音からなる試験音声を、前記受け側端末のそれぞれのマイクで検出し、得られた検出音声を前記受け側端末から収集する音声試験部と、
前記音声試験部で収集された前記検出音声のそれぞれに基づいて、前記試験対象端末の音声通話性能に関する劣化を診断する音声診断部とをさらに備え、
前記音声診断部は、前記試験対象端末の音声通話性能が正常な場合に収集した検出音声である基準音声の音声レベルと、前記音声試験部で新たに収集した検出音声の音声レベルとの差分からなるレベル減衰量を前記試験対象端末ごとに求め、得られたレベル減衰量に基づいて前記試験対象端末のスピーカおよびマイクに関する劣化を診断する
ことを特徴とする電話システム。
【請求項２】
請求項１に記載の電話システムにおいて、
前記音声診断部は、前記受け側端末のレベル減衰量が、予め設定されている規定減衰量より大きい場合、前記受け側端末のマイクに劣化があると診断することを特徴とする電話システム。
【請求項３】
請求項１に記載の電話システムにおいて、
前記音声診断部は、前記送り側端末のレベル減衰量が、予め設定されている規定減衰量より大きい場合、前記送り側端末のスピーカまたはマイクに劣化があると診断することを特徴とする電話システム。
【請求項４】
請求項１に記載の電話システムにおいて、
前記音声診断部は、前記試験対象端末に関する前記レベル減衰量の推移に基づいて、前記レベル減衰量が予め設定されている規定減衰量に到達する時点を、前記試験対象端末のメンテナンス時期として予測することを特徴とする電話システム。
【請求項５】
請求項１〜請求項４のいずれかに記載の電話システムにおいて、
前記電話端末は、前記試験音声を増幅処理およびフィルタ処理してスピーカから出力するとともに、マイクで検出された前記検出音声を増幅処理およびフィルタ処理する音声処理部を備え、
前記音声処理部は、前記試験音声を収集する際、前記増幅処理および前記フィルタ処理の特性を音声通話用特性から音声試験特性に切り替える
ことを特徴とする電話システム。
【請求項６】
複数の電話端末と、通信回線を介して収容した前記電話端末を電話網に交換接続する電話制御装置とを備える電話システムで用いられる電話端末診断方法であって、
音声試験部が、前記電話端末のうち試験対象端末として指定された１つの送り側端末と複数の受け側端末とが非通話状態にある場合に、前記送り側端末のスピーカから出力した非可聴音からなる試験音声を、前記受け側端末のそれぞれのマイクで検出し、得られた検出音声を前記受け側端末から収集する音声試験ステップと、
音声診断部が、前記音声試験ステップで収集された前記検出音声のそれぞれに基づいて、前記試験対象端末の音声通話性能に関する劣化を診断する音声診断ステップとを備え、
前記音声診断ステップは、前記試験対象端末の音声通話性能が正常な場合に収集した検出音声である基準音声の音声レベルと、前記音声試験ステップで新たに収集した検出音声の音声レベルとの差分からなるレベル減衰量を前記試験対象端末ごとに求め、得られたレベル減衰量に基づいて前記試験対象端末のスピーカおよびマイクに関する劣化を診断するステップを含む
ことを特徴とする電話端末診断方法。
【発明の詳細な説明】
【技術分野】
【０００１】
本発明は、電話制御装置の配下に接続されている電話端末の故障を診断するための電話端末診断技術に関する。
【背景技術】
【０００２】
ビジネスホンシステムやＰＢＸシステムなどの電話システムでは、主装置やＰＢＸの配下に複数の電話端末を内線接続しているため、これら電話端末の故障を効率よく診断する必要がある。特に、電話端末に設けられているマイクやスピーカは、音声通話に欠かせない重要な電子部品であり、故障に至る前に事前に劣化を検出することが重要となる。
【０００３】
従来、電話端末の音声通話機能を診断する技術として、通話路を介して電話端末に試験音声を送信して、ハンドセットのスピーカから出力し、ハンドセットのマイクに回り込んだ回込音声を通話路を介して検出し、その音声レベルに基づき、電話端末の音声通話機能を診断する技術が提案されている（例えば、特許文献１など参照）。これにより、人的作業を必要とすることなく、電話端末の音声通話機能を正確に確認することができる。
【先行技術文献】
【特許文献】
【０００４】
【特許文献１】特開２０１４−０４２１７７号公報
【発明の概要】
【発明が解決しようとする課題】
【０００５】
しかしながら、このような従来技術によれば、電話端末に設けられているマイクやスピーカが劣化していることを確認できるものの、その劣化原因がマイクなのかスピーカなのかを判定することができないという問題点があった。また、高速道路や幹線道路の道路脇に設置されている非常電話機であれば、近くに人がいない場合がほとんどであるため、通話音声と同じ可聴周波数帯域の試験音声を用いて任意の時間帯に診断することができるが、オフィスなどに設置される電話端末では、試験音声が周囲に漏れて業務に差し障りが生じるため、同様にして適用するのは難しいという問題点があった。
【０００６】
本発明はこのような課題を解決するためのものであり、試験音声による周囲への影響を抑制しつつ、マイクおよびスピーカの劣化を区別して診断できる電話端末診断技術を提供することを目的としている。
【課題を解決するための手段】
【０００７】
このような目的を達成するために、本発明にかかる電話システムは、複数の電話端末と、通信回線を介して収容した前記電話端末を電話網に交換接続する電話制御装置とを備える電話システムであって、前記電話端末のうち試験対象端末として指定された１つの送り側端末と複数の受け側端末とが非通話状態にある場合に、前記送り側端末のスピーカから出力した非可聴音からなる試験音声を、前記受け側端末のそれぞれのマイクで検出し、得られた検出音声を前記受け側端末から収集する音声試験部と、前記音声試験部で収集された前記検出音声のそれぞれに基づいて、前記試験対象端末の音声通話性能に関する劣化を診断する音声診断部とをさらに備え、前記音声診断部は、前記試験対象端末の音声通話性能が正常な場合に収集した検出音声である基準音声の音声レベルと、前記音声試験部で新たに収集した検出音声の音声レベルとの差分からなるレベル減衰量を前記試験対象端末ごとに求め、得られたレベル減衰量に基づいて前記試験対象端末のスピーカおよびマイクに関する劣化を診断するようにしたものである。
【０００８】
また、本発明にかかる上記電話システムの一構成例は、前記音声診断部が、前記受け側端末のレベル減衰量が、予め設定されている規定減衰量より大きい場合、前記受け側端末のマイクに劣化があると診断するようにしたものである。
【０００９】
また、本発明にかかる上記電話システムの一構成例は、前記音声診断部が、前記送り側端末のレベル減衰量が、予め設定されている規定減衰量より大きい場合、前記送り側端末のスピーカまたはマイクに劣化があると診断するようにしたものである。
【００１０】
また、本発明にかかる上記電話システムの一構成例は、前記音声診断部が、前記試験対象端末に関する前記レベル減衰量の推移に基づいて、前記レベル減衰量が予め設定されている規定減衰量に到達する時点を、前記試験対象端末のメンテナンス時期として予測するようにしたものである。
【００１１】
また、本発明にかかる上記電話システムの一構成例は、前記電話端末が、前記試験音声を増幅処理およびフィルタ処理してスピーカから出力するとともに、マイクで検出された前記検出音声を増幅処理およびフィルタ処理する音声処理部を備え、前記音声処理部は、前記試験音声を収集する際、前記増幅処理および前記フィルタ処理の特性を音声通話用特性から音声試験特性に切り替えるようにしたものである。
【００１２】
また、本発明にかかる電話端末診断方法は、複数の電話端末と、通信回線を介して収容した前記電話端末を電話網に交換接続する電話制御装置とを備える電話システムで用いられる電話端末診断方法であって、音声試験部が、前記電話端末のうち試験対象端末として指定された１つの送り側端末と複数の受け側端末とが非通話状態にある場合に、前記送り側端末のスピーカから出力した非可聴音からなる試験音声を、前記受け側端末のそれぞれのマイクで検出し、得られた検出音声を前記受け側端末から収集する音声試験ステップと、音声診断部が、前記音声試験ステップで収集された前記検出音声のそれぞれに基づいて、前記試験対象端末の音声通話性能に関する劣化を診断する音声診断ステップとを備え、前記音声診断ステップは、前記試験対象端末の音声通話性能が正常な場合に収集した検出音声である基準音声の音声レベルと、前記音声試験ステップで新たに収集した検出音声の音声レベルとの差分からなるレベル減衰量を前記試験対象端末ごとに求め、得られたレベル減衰量に基づいて前記試験対象端末のスピーカおよびマイクに関する劣化を診断するステップを含むものである。
【発明の効果】
【００１３】
本発明によれば、音声試験の際、試験音声が送り側端末のスピーカから出力されるものの、試験音声が非可聴音であるため、試験音声による周囲への影響が抑制される。また、１つの送り側端末のスピーカから出力された試験音声が、複数の受け側端末のそれぞれのマイクで検出音声として検出されるため、どの試験対象端末が、正常な場合とは異なる音声レベルで、試験音声を出力しあるいは検出しているかを個別に把握できる。このため、試験対象端末ごとに、マイクおよびスピーカの劣化を区別して診断することが可能となる。
【図面の簡単な説明】
【００１４】
【図１】電話システムの構成を示すブロック図である。
【図２】音声処理部の構成例である。
【図３】音声診断処理を示すフローチャートである。
【図４】音声レベルとレベル減衰量の関係を示す説明図である。
【図５】電話端末の劣化判定例を示す説明図である。
【図６】音声試験を示すシーケンス図である。
【図７】音声試験（続き）を示すシーケンス図である。
【図８】劣化傾向の予測を示すグラフである。
【発明を実施するための形態】
【００１５】
次に、本発明の実施の形態について図面を参照して説明する。
［第１の実施の形態］
まず、図１を参照して、本発明の第１の実施の形態にかかる電話システム１について説明する。図１は、電話システムの構成を示すブロック図である。
【００１６】
この電話システム１は、通信回線Ｌ１を介して電話網ＮＷに接続された電話制御装置１０と、通信回線Ｌ２を介して電話制御装置１０の配下に内線収容された複数の電話端末２０とを備え、電話制御装置１０がこれら電話端末２０を電話網ＮＷに交換接続する機能を有している。電話システム１の具体例としては、ビジネスホンシステムやＰＢＸシステムなどの電話システムがあり、この場合、電話制御装置１０は、主装置やＰＢＸ装置に相当する。
【００１７】
［電話制御装置］
次に、図１を参照して、本実施の形態にかかる電話制御装置１０について詳細に説明する。
この電話制御装置１０には、主な機能部として、網Ｉ／Ｆ部１１、端末Ｉ／Ｆ部１２、スイッチ部１３、記憶部１４、制御部１５、音声試験部１６、および音声診断部１７が設けられている。これら機能部のうち、制御部１５、音声試験部１６、および音声診断部１７は、ＣＰＵとプログラムとが協働してなる演算処理部により実現されている。
【００１８】
網Ｉ／Ｆ部１１は、通信回線Ｌ１を介して電話網ＮＷとの間で、通話呼に関する呼制御メッセージや音声データをやり取りする機能を有している。
端末Ｉ／Ｆ部１２は、通信回線Ｌ２を介して各電話端末２０との間で、通話呼および劣化試験に用いる呼制御メッセージや音声データをやり取りする機能を有している。
スイッチ部１３は、網Ｉ／Ｆ部１１と端末Ｉ／Ｆ部１２との間で、音声通話路を切替接続する機能を有している。
【００１９】
記憶部１４は、ハードディスクや半導体メモリなどの記憶装置からなり、制御部１５で行う各種処理に用いる処理データやプログラムを記憶する機能を有している。
記憶部１４で記憶する主な処理データとして検出音声がある。検出音声は、音声試験部１６が音声試験により電話端末２０から収集した音声データであり、ここには、試験対象端末の音声通話性能が正常な場合に収集した検出音声である基準音声も含まれている。なお、記憶部１４で記憶する検出音声については、音声信号を符号化したデータであってもよく、音声診断部１７での診断に用いる音声レベルなど、音声信号を特徴化したデータであってもよい。
【００２０】
制御部１５は、電話網ＮＷおよび電話端末２０との間で呼制御メッセージをやり取りすることにより、電話網ＮＷおよび電話端末２０を呼制御する機能と、スイッチ部１３を制御して、電話網ＮＷと電話端末２０と交換接続することにより、音声通話を実現する機能と、予め指定されている試験時間帯において、電話端末２０のうち予め指定されている試験対象端末が非通話状態にあるか否かを確認することにより音声診断の実施可否を判定する機能と、音声診断が実施可能である場合、音声試験部１６および音声診断部１７を制御して、電話端末２０の音声通話機能に関する診断を制御する機能とを有している。
【００２１】
音声試験部１６は、音声試験の際、電話端末２０のうち試験対象端末として指定された１つの送り側端末と複数の受け側端末とについて、送り側端末のスピーカから出力した非可聴音からなる試験音声を、受け側端末のそれぞれのマイクで検出し、得られた検出音声を受け側端末から収集する機能と、音声試験により収集した各受け側端末の検出音声を記憶部１４に蓄積する機能とを有している。
【００２２】
音声診断部１７は、記憶部１４に蓄積されている基準音声の音声レベルと、記憶部１４に蓄積されている新たに収集した検出音声の音声レベルとの差分を、受け側端末ごとに求める機能と、得られたレベル減衰量を受け側端末間で比較することにより、送り側端末のスピーカおよび受け側端末のマイクに関する劣化を診断する機能とを有している。
【００２３】
具体的な診断機能として、音声診断部１７は、レベル減衰量が受け側端末間で同程度である場合、送り側端末のスピーカに劣化があると診断する機能と、レベル減衰量が受け側端末間で異なる場合、レベル減衰量が一定以上である受け側端末のマイクに劣化があると診断する機能とを有している。
【００２４】
［電話端末］
次に、図１を参照して、本実施の形態にかかる電話端末２０について説明する。
電話端末２０には、主な機能部として、回線Ｉ／Ｆ部２１、端末制御部２２、音声処理部２３、スピーカＳＰ、およびマイクＭＩＣが設けられている。これら機能部のうち、端末制御部２２は、ＣＰＵとプログラムとが協働してなる演算処理部により実現されている。
【００２５】
回線Ｉ／Ｆ部２１は、通信回線Ｌ２を介して電話制御装置１０との間で、呼制御メッセージや音声データをやり取りする機能を有している。
端末制御部２２は、電話制御装置１０から受信した呼制御メッセージに応じて、電話端末２０の各部を制御する機能と、検出した利用者操作に応じた呼制御メッセージを電話制御装置１０へ送信する機能とを有している。
【００２６】
音声処理部２３は、回線Ｉ／Ｆ部２１で受信した音声データを音声信号に変換した後、増幅処理およびフィルタ処理してスピーカＳＰから出力する機能と、マイクＭＩＣで検出した音声信号を増幅処理およびフィルタ処理して回線Ｉ／Ｆ部２１から送信する音声データに変換して出力する機能とを有している。
音声試験に用いるスピーカＳＰおよびマイクＭＩＣは、電話端末２０のハンドセットに設けられているスピーカやマイクであってもよく、電話端末２０の本体に設けられているスピーカやマイクであってもよいが、後述する基準音声を検出した場合と同じスピーカおよびマイクを音声試験でも用いる必要がある。
【００２７】
図２は、音声処理部の構成例である。音声処理部２３には、主な回路部として、コーデック２４とアンプフィルタ部２５とが設けられている。
コーデック２４は、音声信号と音声データとを相互に符号化処理および復号処理を行う信号処理ＩＣである。
アンプフィルタ部２５は、コーデック２４およびマイクＭＩＣから出力された音声信号の増幅処理およびフィルタ処理を行う回路部である。
【００２８】
本実施の形態では、試験音声として、一般的な電話音声帯域３００Ｈｚ〜３．４ＫＨｚより高い、数十ＫＨｚ程度の非可聴周波数帯域の音声信号を用いる。これにより、試験音声による周囲への影響を抑制できる。このため、コーデック２４として、試験音声に対応できる広帯域用のコーデックを用いている。また、アンプフィルタ部２５では、通常の音声通話時と音声試験時とで、増幅利得およびフィルタ特性を切り替えている。
【００２９】
図２に示すように、アンプフィルタ部２５には、音声通話時のアンプフィルタ回路として、コーデック２４からの受話信号Ｒを増幅処理およびフィルタ処理するアンプフィルタ２６Ｒと、マイクＭＩＣからの送話信号Ｓを増幅処理およびフィルタ処理するアンプフィルタ２６Ｓが設けられている。一方、音声試験時のアンプフィルタ回路として、コーデック２４からの受話信号Ｒを増幅処理およびフィルタ処理するアンプフィルタ２７Ｒと、マイクＭＩＣからの送話信号Ｓを増幅処理およびフィルタ処理するアンプフィルタ２７Ｓが設けられている。
【００３０】
また、アンプフィルタ部２５には、音声通話時と音声試験時とで、受話信号Ｒをアンプフィルタ２６Ｒまたはアンプフィルタ２７Ｒのいずれか一方に選択出力するスイッチＳＷ１と、音声通話時と音声試験時とで、送話信号Ｓをアンプフィルタ２６Ｓまたはアンプフィルタ２７Ｓのいずれか一方に選択出力するスイッチＳＷ２とが設けられており、これにＳＷ１，ＳＷ２は、端末制御部２２からの切替信号Ｃにより切替制御される。
【００３１】
［第１の実施の形態の動作］
次に、図３を参照して、本実施の形態にかかる電話システム１の動作について説明する。図３は、音声診断処理を示すフローチャートである。
電話制御装置１０は、予め指定された試験対象端末の音声診断を行う際、図３の音声診断処理を実行する。なお、試験スケジュールに沿って音声診断を行う場合には、指定された試験時間帯が到来に応じて図３の音声診断処理を実行してもよく、必要に応じて音声診断を行う場合には、管理者により任意の電話端末２０から操作入力された音声診断指示に応じて図３の音声診断処理を実行してもよい。
【００３２】
まず、制御部１５は、電話端末２０のうち予め指定されている試験対象端末のすべてが非通話状態にあるか否かを確認する（ステップ１００）。ここで、試験対象端末のいずれかが通話状態にある場合（ステップ１００：ＮＯ）、制御部１５は、ステップ１００へ戻る。
【００３３】
一方、試験対象端末のすべてが非通話状態にある場合（ステップ１００：ＹＥＳ）、制御部１５は、音声試験部１６に対して音声試験の実施を指示する。
これに応じて、音声試験部１６は、試験対象端末として指定された１つの送り側端末と複数の受け側端末とについて、送り側端末のスピーカから出力した非可聴音からなる試験音声を、受け側端末のそれぞれのマイクで検出し、得られた検出音声を受け側端末から収集する（ステップ１０１）。
【００３４】
次に、制御部１５は、音声試験部１６で収集した検出音声が、試験対象端末の設置直後など、試験対象端末の音声通話性能が正常な場合に収集した検出音声である基準音声か否か確認する（ステップ１０２）。基準音声か否かについては、音声試験時における操作入力での指示内容に基づいて判定してもよく、試験対象端末の基準音声として記憶部１４に登録されているものがあるか否かに基づいて判定してもよい。
【００３５】
ここで、収集した検出音声が基準音声である場合（ステップ１０２：ＹＥＳ）、音声試験部１６は、収集した検出音声を基準音声として記憶部１４に蓄積し（ステップ１０３）、一連の音声診断処理を終了する。
一方、収集した検出音声が基準音声でない場合（ステップ１０２：ＮＯ）、音声試験部１６は、音声診断部１７に対して音声診断の実施を指示する。
【００３６】
これに応じて、音声診断部１７は、記憶部１４に蓄積されている基準音声の音声レベルと、記憶部１４に蓄積されている検出音声の音声レベルとの差分を、受け側端末ごとに計算する（ステップ１０４）。
続いて、音声診断部１７は、得られたレベル減衰量を受け側端末間で比較することにより、送り側端末のスピーカおよび受け側端末のマイクに関する劣化を診断し、診断結果を記憶部１４に記録した後（ステップ１０５）、一連の音声診断処理を終了する。
【００３７】
音声診断部１７で得られた診断結果については、記憶部１４にログとして記録しておき、管理ＰＣからのアクセスに応じて制御部１５が記憶部１４から読み出して出力される。なお、任意の電話端末２０での閲覧操作に応じて、制御部１５が記憶部１４から読み出して、当該電話端末２０で画面表示してもよい。
【００３８】
図４は、音声レベルとレベル減衰量の関係を示す説明図である。ここでは、試験音声が非可聴音の正弦波からなり、音声レベルが音声信号のピーク電圧からなる場合が例として示されている。
音声診断部１７は、基準音声の音声レベルＶ１から検出音声の音声レベルＶ２を減算することにより、レベル減衰量Ｖ＝Ｖ１−Ｖ２を計算する。
【００３９】
なお、音声信号の音声レベルについては、ピーク電圧に限定されるものではなく、音声信号の平均電圧や平均電力など、音声信号のレベルの大きさを示す一般的な物理量を用いてもよい。
また、試験音声については、例えばホワイトノイズなど正弦波以外の音声信号を用いてもよい。なお、本発明でいう非可聴音とは、電話端末２０のスピーカで電気信号から音声に変換可能であり、かつ、電話端末２０のマイクで音声から電気信号に変換可能な、非可聴周波数帯域の音声信号を指す。実際には、電話端末２０で用いるスピーカやマイクでは、数十ＫＨｚ程度の非可聴周波数帯域に対応するものがある。
【００４０】
図５は、電話端末の劣化判定例を示す説明図である。ここでは、３つの電話端末２０Ａ，２０Ｂ，２０Ｃのうち、電話端末２０Ａが送り側端末に相当し、電話端末２０Ｂ，２０Ｃが受け側端末に相当する例が示されている。
すなわち、試験音声は、送り側端末２０Ａのスピーカから出力されて、受け側端末２０Ｂ，２０Ｃのマイクで検出され、検出音声として音声試験部１６により収集される。
【００４１】
受け側端末２０Ｂの基準音声および検出音声の音声レベルをＶＢ１，ＶＢ２とした場合、受け側端末２０Ｂでのレベル減衰量ＶＢは、ＶＢ１からＶＢ２を減算することによりＶＢ＝ＶＢ１−ＶＢ２で求められる。また、受け側端末２０Ｃの基準音声および検出音声の音声レベルをＶＣ１，ＶＣ２とした場合、受け側端末２０Ｃでのレベル減衰量ＶＣは、ＶＣ１からＶＣ２を減算することによりＶＣ＝ＶＣ１−ＶＣ２で求められる。
【００４２】
また、送り側端末２０Ａのスピーカから出力された試験音声は、送り側端末２０Ａのマイクでも検出され、検出音声として音声試験部１６により収集される。
したがって、送り側端末２０Ａの基準音声および検出音声の音声レベルをＶＡ１，ＶＡ２とした場合、受け側端末２０Ｓでのレベル減衰量ＶＡは、ＶＡ１からＶＡ２を減算することによりＶＡ＝ＶＡ１−ＶＡ２で求められる。
【００４３】
音声診断部１７で、これら受け側端末２０Ｂ，２０Ｃのレベル減衰量ＶＢ，ＶＣを、予め設定されている、個々の電話端末２０のレベル減衰量を評価するための規定減衰量Ｖｓと比較することにより、受け側端末２０Ｂ，２０Ｃのマイクの劣化を診断する。
例えば、ＶＢ＞Ｖｓの場合、受け側端末２０Ｂのマイク劣化と診断でき、ＶＣ＞Ｖｓの場合、受け側端末２０Ｃのマイク劣化と診断できる。
【００４４】
また、送り側端末２０Ａのレベル減衰量ＶＡを規定減衰量Ｖｓと比較することにより、送り側端末２０Ａのスピーカまたはマイクの劣化を診断する。この際、スピーカとマイクのいずれが劣化しているか特定できない。
したがって、試験対象端末から送り側端末を順に選択して音声試験を実施し、送り側端末と受け側端末との組み合わせのすべてにおいて検出音声を収集すれば、他の組合せで電話端末２０Ａのマイク劣化の有無を診断でき、結果として電話端末２０Ａのスピーカ劣化も診断できる。
【００４５】
［音声試験］
次に、図６および図７を参照して、試験対象端末から検出音声を収集するための音声試験について説明する。図６は、音声試験を示すシーケンス図である。図７は、音声試験（続き）を示すシーケンス図である。
音声試験部１６は、音声試験の際、図６および図７に示す音声試験を実施する。ここでは、試験対象端末として電話端末２０Ａ，２０Ｂ，２０Ｃが指定されており、これらのうちから送り側端末を１つずつ順に選択して音声試験を行う場合を例として説明する。
【００４６】
まず、音声試験部１６は、電話端末２０Ａ，２０Ｂ，２０Ｃとの間で、スイッチ部１３および端末Ｉ／Ｆ部１２を介して音声パスを形成し（ステップ１１０）、電話端末２０Ａ，２０Ｂ，２０Ｃに対してマイクＯＮを指示する（ステップ１１１）。これに応じて電話端末２０Ａ，２０Ｂ，２０ＣがマイクをＯＮして使用開始する（ステップ１１２）。
【００４７】
次に、音声試験部１６は、電話端末２０Ａを送り側端末として選択し、音声試験１２０を実行する。
まず、音声試験部１６は、電話端末２０Ａに対してスピーカＯＮを指示し（ステップ１２１）、これに応じて電話端末２０ＡがスピーカをＯＮして使用開始する（ステップ１２２）。
【００４８】
次に、音声試験部１６は、音声パスを介して電話端末２０Ａに、非可聴音からなる試験音声を送出する（ステップ１２３）。これにより、電話端末２０ＡのスピーカＳＰから試験音声が出力され、電話端末２０Ａ，２０Ｂ，２０ＣのマイクＭＩＣにより検出される（ステップ１２４）。
【００４９】
電話端末２０Ａ，２０Ｂ，２０Ｃは、マイクＭＩＣで検出した電話端末２０Ａからの試験音声を検出音声として音声試験部１６へ送出する（ステップ１２５）。
これに応じて、音声試験部１６は、音声パスを介して電話端末２０Ａ，２０Ｂ，２０Ｃから検出音声を収集し、記憶部１４に蓄積する（ステップ１２６）。
この後、音声試験部１６は、電話端末２０Ａに対してスピーカＯＦＦを指示し（ステップ１２７）、これに応じて電話端末２０ＡがスピーカをＯＦＦして使用終了する（ステップ１２８）。
【００５０】
次に、音声試験部１６は、電話端末２０Ｂを送り側端末として選択し、音声試験１３０を実行する。
まず、音声試験部１６は、電話端末２０Ｂに対してスピーカＯＮを指示し（ステップ１３１）、これに応じて電話端末２０ＢがスピーカをＯＮして使用開始する（ステップ１３２）。
【００５１】
次に、音声試験部１６は、音声パスを介して電話端末２０Ｂに、非可聴音からなる試験音声を送出する（ステップ１３３）。これにより、電話端末２０ＢのスピーカＳＰから試験音声が出力され、電話端末２０Ａ，２０Ｂ，２０ＣのマイクＭＩＣにより検出される（ステップ１３４）。
【００５２】
電話端末２０Ａ，２０Ｂ，２０Ｃは、マイクＭＩＣで検出した電話端末２０Ｂからの試験音声を検出音声として音声試験部１６へ送出する（ステップ１３５）。
これに応じて、音声試験部１６は、音声パスを介して電話端末２０Ａ，２０Ｂ，２０Ｃから検出音声を収集し、記憶部１４に蓄積する（ステップ１３６）。
この後、音声試験部１６は、電話端末２０Ｂに対してスピーカＯＦＦを指示し（ステップ１３７）、これに応じて電話端末２０ＢがスピーカをＯＦＦして使用終了する（ステップ１３８）。
【００５３】
次に、音声試験部１６は、電話端末２０Ｃを送り側端末として選択し、音声試験１４０を実行する。
まず、音声試験部１６は、電話端末２０Ｃに対してスピーカＯＮを指示し（ステップ１４１）、これに応じて電話端末２０ＣがスピーカをＯＮして使用開始する（ステップ１４２）。
【００５４】
次に、音声試験部１６は、音声パスを介して電話端末２０Ｃに、非可聴音からなる試験音声を送出する（ステップ１４３）。これにより、電話端末２０ＣのスピーカＳＰから試験音声が出力され、電話端末２０Ａ，２０Ｂ，２０ＣのマイクＭＩＣにより検出される（ステップ１４４）。
【００５５】
電話端末２０Ａ，２０Ｂ，２０Ｃは、マイクＭＩＣで検出した電話端末２０Ｃからの試験音声を検出音声として音声試験部１６へ送出する（ステップ１４５）。
これに応じて、音声試験部１６は、音声パスを介して電話端末２０Ａ，２０Ｂ，２０Ｃから検出音声を収集し、記憶部１４に蓄積する（ステップ１４６）。
この後、音声試験部１６は、電話端末２０Ｃに対してスピーカＯＦＦを指示し（ステップ１４７）、これに応じて電話端末２０ＣがスピーカをＯＦＦして使用終了する（ステップ１４８）。
【００５６】
この後、音声試験部１６は、電話端末２０Ａ，２０Ｂ，２０Ｃに対してマイクＯＦＦを指示する（ステップ１５０）。これに応じて電話端末２０Ａ，２０Ｂ，２０ＣがマイクをＯＦＦして使用終了する（ステップ１５１）。
続いて、音声試験部１６は、電話端末２０Ａ，２０Ｂ，２０Ｃとの間で形成していた音声パスを切断し（ステップ１５２）、一連の音声試験を終了する。
【００５７】
［第１の形態の効果］
このように、本実施の形態は、音声試験部１６が、試験対象端末として指定された１つの送り側端末と複数の受け側端末とが非通話状態にある場合に、送り側端末のスピーカから出力した非可聴音からなる試験音声を、受け側端末のそれぞれのマイクで検出し、得られた検出音声を受け側端末から収集し、音声診断部１７が、試験対象端末の音声通話性能が正常な場合に収集した検出音声である基準音声の音声レベルと、音声試験で収集した検出音声の音声レベルとの差分からなるレベル減衰量を試験対象端末ごとに求め、得られたレベル減衰量に基づいて試験対象端末のスピーカおよびマイクに関する劣化を診断するようにしたものである。
【００５８】
これにより、音声試験の際、試験音声が送り側端末のスピーカから出力されるものの、試験音声が非可聴音であるため、試験音声による周囲への影響が抑制される。また、１つの送り側端末のスピーカから出力された試験音声が、複数の受け側端末のそれぞれのマイクで検出音声として検出されるため、どの試験対象端末が、正常な場合とは異なる音声レベルで、試験音声を出力しあるいは検出しているかを個別に把握できる。このため、試験対象端末ごとに、マイクおよびスピーカの劣化を区別して診断することが可能となる。
【００５９】
また、本実施の形態において、音声診断部１７が、受け側端末のレベル減衰量が、予め設定されている規定減衰量より大きい場合、受け側端末のマイクに劣化があると診断するようにしてもよい。これにより、簡素な処理で受け側端末のマイクに劣化があることを診断することが可能となる。
また、本実施の形態において、音声診断部１７が、送り側端末のレベル減衰量が、予め設定されている規定減衰量より大きい場合、送り側端末のスピーカまたはマイクに劣化があると診断するようにしてもよい。これにより、簡素な処理で送り側端末のスピーカまたはマイクに劣化があることを診断することが可能となる。
【００６０】
また、本実施の形態において、電話端末２０が、試験音声を増幅処理およびフィルタ処理してスピーカから出力するとともに、マイクで検出された検出音声を増幅処理およびフィルタ処理する音声処理部２３を備え、音声処理部２３が、音声試験の際、増幅処理およびフィルタ処理の特性を音声通話用特性から音声試験特性に切り替えるようにしてもよい。
これにより、試験音声にかかる電話端末２０を、音声通話用特性から音声試験特性に切り替えることができ、非可聴音からなる試験音声に最適な音声周波数特性で検出音声を得ることができる。
【００６１】
［第２の実施の形態］
次に、本発明の第２の実施の形態にかかる電話システム１について説明する。
本実施の形態では、定期的に各電話端末２０の検出音声を収集し、得られたレベル減衰量の推移に基づいて劣化傾向を予測する場合について説明する。
すなわち、本実施の形態において、音声診断部１７は、音声試験部１６で定期的に収集した電話端末２０の検出音声から得られたレベル減衰量の推移に基づいて、レベル減衰量が予め設定されている規定減衰量に到達する時期を、メンテナンス時期として予測する機能を有している。
【００６２】
図８は、劣化傾向の予測を示すグラフである。このグラフは、横軸が時間を示し、縦軸が任意の電話端末２０で得られたレベル減衰量Ｖを示している。現在ｔｎまでのＶの推移からＶの近似関数ｆ（ｔ）を求め、ｆ（ｔ）に基づいて将来のＶの推移を推定し、規定減衰量Ｖｓに到達する時点ｔｓ、すなわちｆ（ｔｓ）＝Ｖｓとなるｔｓをメンテナンス時期として予測する。
これにより、レベル減衰量が規定減衰量に達する時期、すなわちメンテナンス時期を前もって予測でき、保守作業を円滑かつ効率よく実施することが可能となる。
【００６３】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００６４】
前述した実施の形態では、音声診断部１７が電話制御装置１０に実装されている場合を例として説明したが、これに限定されるものではない。例えば、通信回線を介して電話制御装置１０と接続された、サーバ装置からなる音声診断装置に音声診断部１７を実装し、電話制御装置１０の音声試験部１６で収集した検出音声を、音声診断装置に転送するようにしてもよい。これにより、複数の電話制御装置１０からの検出音声を１つの音声診断装置で処理することができ、システム全体の構成およびコストを削減することができる。
【００６５】
また、前述した実施の形態では、電話端末２０にコーデック２４を搭載した場合を例として説明したが、これに限定されるものではない。例えば、電話制御装置１０のスイッチ部１３と端末Ｉ／Ｆ部１２との間にコーデック２４を実装し、スイッチ部１３から出力された通話音声や試験音声をコーデック２４で音声信号に復号した後、端末Ｉ／Ｆ部１２から電話端末２０へ出力するようにしてもよい。この際、電話端末２０からの音声信号は、端末Ｉ／Ｆ部１２で受信された後、コーデック２４で音声データに符号化されてスイッチ部１３に入力されることになる。
【符号の説明】
【００６６】
１…電話システム、１０…電話制御装置、１１…網Ｉ／Ｆ部、１２…端末Ｉ／Ｆ部、１３…スイッチ部、１４…記憶部、１５…制御部、１６…音声試験部、１７…音声診断部、２０，２０Ａ，２０Ｂ，２０Ｃ…電話端末、２１…回線Ｉ／Ｆ部、２２…端末制御部、２３…音声処理部、２４…コーデック、２５…アンプフィルタ部、２６Ｒ，２６Ｓ，２７Ｒ，２７Ｓ…アンプフィルタ、ＳＷ１，ＳＷ２…スイッチ、ＳＰ…スピーカ、ＭＩＣ…マイク、ＮＷ…電話網、Ｌ１，Ｌ２…通信回線。
【図１】
2018174405.tif 000003
【図２】
2018174405.tif 000004
【図３】
2018174405.tif 000005
【図４】
2018174405.tif 000006
【図５】
2018174405.tif 000007
【図６】
2018174405.tif 000008
【図７】
2018174405.tif 000009
【図８】
2018174405.tif 000010